(57)【特許請求の範囲】
【請求項１】
光ディスクを搭載するターンテーブルと、該ターンテーブルを回転する回転手段と、該ターンテーブルに搭載した光ディスクにレーザ光を照射するレーザ光照射手段と、該レーザ光照射手段により該光ディスクに照射されるレーザ光の照射位置を該ターンテーブルの径方向に移動する半径方向移動手段と、該レーザ光照射手段により該光ディスクに照射されたレーザ光の該光ディスクにおける半径位置を検出する半径位置検出手段と、該回転手段により回転を行うと共に該半径方向移動手段により径方向移動を行い、該半径位置検出手段が取得した半径位置が設定された半径領域である期間、該レーザ光照射手段によりパルス状のレーザ光を照射することにより該光ディスクの設定された半径領域に低反射率箇所と高反射率箇所とからなる識別情報を記録する識別情報記録手段とを備えた光ディスク識別情報記録装置において、
該識別情報記録手段が、該識別情報の記録を開始してから少なくとも周方向における該識別情報の記録の終了位置まで該半径方向移動手段による径方向移動を停止するか、該識別情報の径方向移動側の端部が形成される記録を開始してから該半径方向移動手段による径方向移動を停止するかの少なくとも１方を行うようにしたことを特徴とする光ディスク識別情報記録装置。
【請求項２】
前記回転手段による回転角度に相当する値を検出する回転角度検出手段と、
前記識別情報の周方向における終了位置の回転角度に相当する値を計算する周方向終了位置算出手段とを備え、
前記識別情報記録手段が、該識別情報の記録を開始した後、該回転角度検出手段が該周方向終了位置算出手段により算出された回転角度に相当する値を検出したとき、前記半径方向移動手段による径方向移動を開始することを特徴とする請求項１記載の光ディスク識別情報記録装置。
【請求項３】
前記半径位置検出手段により取得した前記識別情報の記録を開始した周方向位置における半径位置と、設定された該識別情報の記録終了半径位置と、設定された前記回転手段による回転が１回転行われる際の該半径方向移動手段による径方向の送り量と、記憶されている該回転手段による回転が１回転未満のとき前記光ディスクに照射されたレーザ光により形成される低反射率箇所又は高反射率箇所の半径方向の幅とから、該識別情報の記録を開始した周方向位置付近で該識別情報の記録が終了する半径位置となるための補正された該回転手段による回転を１回転行う際の該半径方向移動手段による径方向の送り量を計算する補正径方向送り量算出手段を備え、
該半径方向移動手段が、該補正径方向送り量算出手段により計算された送り量に基づいて径方向移動を行うことを特徴とする請求項１又は請求項２記載の光ディスク識別情報記録装置。
【請求項４】
設定された前記識別情報の記録開始半径位置と、設定された前記半径方向移動手段による径方向移動が開始される回転角度又は前記周方向終了位置算出手段により算出された該半径方向移動手段による径方向移動が開始される回転角度と、設定された該識別情報の記録終了半径位置と、設定された前記回転手段による回転が１回転行われる際の該半径方向移動手段による径方向の送り量と、記憶されている該回転手段による回転が１回転未満のとき前記光ディスクに照射されたレーザ光により形成される低反射率箇所又は高反射率箇所の半径方向の幅とから、該識別情報の記録を開始した周方向位置付近で該識別情報の記録が終了する半径位置となるための補正された該回転手段による回転を１回転行う際の該半径方向移動手段による径方向の送り量を計算する補正径方向送り量算出手段を備え、
該半径方向移動手段が、該補正径方向送り量算出手段により計算された送り量に基づいて径方向移動を行うことを特徴とする請求項１又は請求項２記載の光ディスク識別情報記録装置。
【請求項５】
光ディスクを回転させると共に該光ディスクにレーザ光を照射し、該光ディスクにおけるレーザ光照射位置を該光ディスクの半径方向に移動させることにより、該光ディスクの設定された半径領域に低反射率箇所と高反射率箇所とからなる識別情報を記録する光ディスク識別情報記録方法において
該識別情報の記録を開始してから少なくとも周方向における該識別情報の記録の終了位置まで該レーザ光照射位置の半径方向移動を停止するか、該識別情報の半径方向移動側の端部が形成される記録を開始してから該レーザ光照射位置の半径方向移動を停止するかの少なくとも１方を行うことを特徴とする光ディスク識別情報記録方法。
【発明の詳細な説明】
【技術分野】
【０００１】
本発明は、光ディスクの所定半径領域に低反射率箇所と高反射率箇所とからなる識別情報を記録する光ディスク識別情報記録装置及び光ディスク識別情報記録方法に関する。
【背景技術】
【０００２】
従来より、光ディスクの不正コピー防止のために、光ディスクの最内周部のＢＣＡ（バース卜カッティングエリア）と呼ばれる箇所にバーコード状のデータを記録することが行われている。このバーコード状のデータには光ディスクの個別情報が記録されており、この個別情報を用いて光ディスクを管理することにより、光ディスクの不正コピーを防止している。このバーコード状のデータ（以下、ＢＣＡコードという）は、間隔が異なる複数のバーからなるデータである。このデータは、連続番号や識別番号などの個別情報であるＢＣＡコードの元データ（以下、ＢＣＡデータという）を所定のデータ変換により変換（エンコード）したデータである。
【０００３】
ＢＣＡコードの記録においては、バーを低反射率とすることで形成し、バーとバーの間を高反射率のまま残すことで形成している。具体的に説明すると、特許文献１に示されるように、レーザ光強度がハイレベルとローレベルとからなるパルス状のレーザ光を光ディスクに照射し、光ディスクを回転させると共にレーザ光の照射位置を半径方向に移動させる。このようにすると図５に示すようにレーザ光照射により光ディスク上に形成された長円状の光スポットＳＰは、光ディスクを固定して見ると、光ディスクの周方向と半径方向とに移動し、レーザ光強度がハイレベルの箇所は表面が溶解して低反射率となり、レーザ光強度がローレベルの箇所は高反射率のままで残ることになる。そして、回転に対するパルス状のレーザ光の出射タイミングを制御すれば、低反射率と高反射率の箇所は半径方向において同じ位置に形成され所定の半径領域にＢＣＡコードを記録することができる。尚、レーザ光強度がハイレベルのとき表面が溶解する代わりに内部の記録層が変化して低反射率となり、レーザ光強度がローレベルのときは記録層が変化せず高反射率のままで残ることでＢＣＡコードを記録する方法もある。
【特許文献１】特開２００７−３５０８７号公報
【発明の開示】
【発明が解決しようとする課題】
【０００４】
これによれば、精度よくＢＣＡコードの記録を行うことができる。しかし、光スポットＳＰを周方向と半径方向とに移動しているため、すなわち螺旋状に光スポットＳＰを移動しているため、周方向を直線状にして誇張すると図６に示すようにＢＣＡコードの内周側端と外周側端における半径位置が周方向において異なることになる。
【０００５】
このため次の問題がある。
１）ＢＣＡコードの内周側端と外周側端における半径位置の許容範囲Ａは規格で決まっており（例えばＤＶＤにおいては±６０μｍ）、ＢＣＡコードの記録開始半径位置と記録終了半径位置とを適切に設定することで、ＢＣＡコードの内周側端と外周側端をこの許容範囲Ａ内（図６における破線の範囲内）にするようにしても、光ディスクには偏心が存在するため光ディスクによっては、ＢＣＡコードの一部の内周側端と外周側端における半径位置がこの許容範囲Ａ内に入らない可能性がある。
２）光スポットＳＰの大きさを大きくし、光ディスクの１回転における半径方向の送り量（以下、送りピッチという）を大きくした方が、初期化及びＢＣＡコードの記録を短時間で行うことができるため生産効率がよくなるが、光スポットＳＰの大きさを大きくし、送りピッチを大きくしていくと、ＢＣＡコードの一部の内周側端と外周側端における半径位置が許容範囲Ａ内に入らなくなってしまう。
【０００６】
本発明は、このような事情に鑑みてなされたもので、ＢＣＡコードのような識別情報を光ディスクに記録する光ディスク識別情報記録装置及び光ディスク識別情報記録方法において、容易に識別情報（ＢＣＡコード）の内周側端と外周側端における周方向の半径位置を同一にし、識別情報（ＢＣＡコード）の内周側端と外周側端における半径位置を許容範囲内にすることが可能な光ディスク識別情報記録装置及び光ディスク識別情報記録方法を提供することにある。
【課題を解決するための手段】
【０００７】
請求項１記載の光ディスク識別情報記録装置は、識別情報記録手段が、識別情報の記録を開始してから少なくとも周方向における識別情報の記録の終了位置まで半径方向移動手段による径方向移動を停止するか、識別情報の径方向移動側の端部が形成される記録を開始してから半径方向移動手段による径方向移動を停止するかの少なくとも１方を行うようにしたことを特徴とする。
【０００８】
請求項２記載の光ディスク識別情報記録装置は、回転手段による回転角度に相当する値を検出する回転角度検出手段と、識別情報の周方向における終了位置の回転角度に相当する値を計算する周方向終了位置算出手段とを備え、識別情報記録手段が、識別情報の記録を開始した後、回転角度検出手段が周方向終了位置算出手段により算出された回転角度に相当する値を検出したとき、半径方向移動手段による径方向移動を開始することを特徴とする。
【０００９】
請求項３記載の光ディスク識別情報記録装置は、半径位置検出手段により取得した識別情報の記録を開始した周方向位置における半径位置と、設定された識別情報の記録終了半径位置と、設定された回転手段による回転が１回転行われる際の半径方向移動手段による径方向の送り量と、記憶されている回転手段による回転が１回転未満のとき光ディスクに照射されたレーザ光により形成される低反射率箇所又は高反射率箇所の半径方向の幅とから、識別情報の記録を開始した周方向位置付近で識別情報の記録が終了する半径位置となるための補正された回転手段による回転を１回転行う際の半径方向移動手段による径方向の送り量を計算する補正径方向送り量算出手段を備え、半径方向移動手段が、補正径方向送り量算出手段により計算された送り量に基づいて径方向移動を行うことを特徴とする。
【００１０】
請求項４記載の光ディスク識別情報記録装置は、設定された識別情報の記録開始半径位置と、設定された半径方向移動手段による径方向移動が開始される回転角度又は周方向終了位置算出手段により算出された半径方向移動手段による径方向移動が開始される回転角度と、設定された識別情報の記録終了半径位置と、設定された回転手段による回転が１回転行われる際の半径方向移動手段による径方向の送り量と、記憶されている回転手段による回転が１回転未満のとき光ディスクに照射されたレーザ光により形成される低反射率箇所又は高反射率箇所の半径方向の幅とから、識別情報の記録を開始した周方向位置付近で識別情報の記録が終了する半径位置となるための補正された回転手段による回転を１回転行う際の半径方向移動手段による径方向の送り量を計算する補正径方向送り量算出手段を備え、半径方向移動手段が、補正径方向送り量算出手段により計算された送り量に基づいて径方向移動を行うことを特徴とする。
【００１１】
請求項５記載の光ディスク識別情報記録方法は、識別情報の記録を開始してから少なくとも周方向における識別情報の記録の終了位置までレーザ光照射位置の半径方向移動を停止するか、識別情報の半径方向移動側の端部が形成される記録を開始してからレーザ光照射位置の半径方向移動を停止するかの少なくとも１方を行うことを特徴とする。
【発明の効果】
【００１２】
請求項１及び請求項５の発明によれば、識別情報記録開始直後と記録終了直前において半径方向移動を行わないようにするようにしたことから、識別情報（ＢＣＡコード）の内周側端と外周側端における周方向の半径位置を同一にすることができ、識別情報（ＢＣＡコード）の内周側端と外周側端における半径位置を許容範囲内にすることが可能である。
【００１３】
請求項２の発明によれば、識別情報記録開始直後、識別情報（ＢＣＡコード）の周方向での終了位置を検出してから半径方向移動を行うようにしたことから、識別情報（ＢＣＡコード）記録開始時点のレーザ光照射跡と次の半径位置のレーザ光照射跡との重なりをできる限り小さくすることができ、光ディスクによっては発生するレーザ光の照射跡が大きく重なることによる識別情報（ＢＣＡコード）の形状の悪化を防ぐことができる。
【００１４】
請求項３又は請求項４の発明によれば、記録開始の周方向位置付近で記録終了の半径位置となるための送りピッチを計算し、その送りピッチに従って径方向の移動を行うようにしたことから、識別情報（ＢＣＡコード）記録終了直前のレーザ光照射跡とその前の半径位置のレーザ光照射跡との重なりをできる限り小さくすることができ、光ディスクによっては発生するレーザ光の照射跡が大きく重なることによる識別情報（ＢＣＡコード）の形状の悪化を防ぐことができる。
【発明を実施するための最良の形態】
【００１５】
以下、本発明の形態について図面を参照しながら具体的に説明する。本発明の形態における光ディスク識別情報記録装置は、光ディスクにパルス状のレーザ光を照射し、低反射率箇所と高反射率箇所とからなる識別情報（ＢＣＡコード）を所定の半径領域に記録する装置である。
【００１６】
図１は、本発明が適用された光ディスク識別情報記録装置の全体構成を示す構成図である。図２は、同光ディスク識別情報記録装置のコントローラが実行するプログラムのフローチャートである。図３は、検出する半径値の検出点を光スポットと光ディスクに形成される低反射率箇所と高反射率箇所と共に示した説明図である。図４は、ＢＣＡコードを同じ半径位置が直線になるようにし、レーザ光照射跡が隣の半径位置におけるレーザ光照射跡と重なるようにしてＢＣＡコードのバーが形成される様子を示した説明図である。
【００１７】
図１に示すように光ディスク識別情報記録装置１は、光ピックアップ２００、表示装置４０２や入力装置４０４を備えたコントローラ４００、信号増幅回路１００、フォーカスエラー信号生成回路１０２、フォーカスサーボ回路１０４、ドライブ回路１０６、再生信号生成回路１０８、２値化回路１１０、データ復号回路１１２、データ変換回路２０２、記録用信号生成回路２０４、レーザ駆動回路２０６、クロック信号発生回路２０８、回転角度検出回路２１２、スピンドルモータ２１４、スピンドルモータ制御回路２１０、フィードモータ３００、フィードモータ制御回路３０４、半径値検出回路３０２等から構成されている。
【００１８】
光ピックアップ２００は、レーザ光源，コリメートレンズ，偏光ビームスプリッタ，１／４波長板，対物レンズ，フォーカスアクチュエータ，集光レンズ，ナイフ，フォトディテクタ等から構成される。レーザ光源から出射されたレーザ光は、コリメートレンズにより断面が長円形状の平行光になり、偏光ビームスプリッタを透過し１／４波長板を介して対物レンズに入射し、対物レンズにより集光して光ディスクＤＫ上に長円形状の光スポットＳＰを形成する。光ディスクＤＫで反射したレーザ光は対物レンズで平行光になり、１／４波長板を介して偏光ビームスプリッタに入射する。このとき、レーザ光の偏光方向は１／４波長板を２度通過することにより出射時のレーザ光の偏光方向から９０度回転している。このため、偏光ビームスプリッタに入射したレーザ光は反射して集光レンズに入射し、ナイフを介して２分割又は４分割されたフォトディテクタに入射する。ナイフは先端位置がレーザ光の光軸位置にありナイフエッジ法によるフォーカスサーボを行うために設けられている。フォーカスアクチュエータはフォーカスサーボにおいて対物レンズをレーザ光の光軸方向に駆動するために設けられている。
【００１９】
データ変換回路２０２は、コントローラ４００から入力した光ディスクＤＫに与えられた光ディスク固有のＢＣＡデータを、例えばＤＶＤの場合はＢＣＡコードのバーとバーとの間隔が１Ｔから４Ｔまでとなるデータ（Blu-ray Discの場合は２Ｔから５Ｔまでとなるデータ）に変換（エンコード）し、記録用信号生成回路２０４に出力する。
【００２０】
クロック信号発生回路２０８は、スピンドルモータ２１４のエンコーダからのパルス信号により、ＢＣＡコードの記録の単位となるクロック信号（例えば１４４００パルス／周）を発生させ、記録用信号生成回路２０４に供給する。記録用信号生成回路２０４は、データ変換回路２０２から入力するデータを記憶しておき、スピンドルモータ２１４内にあるエンコーダからのインデックス信号が入力すると、このデータから例えばＤＶＤの場合はＢＣＡコードのバーとバーとの間隔が１Ｔから４Ｔまでとなるパルス信号を作成する。そしてさらに、このパルス信号からＢＣＡコードを再生したときの波形が最適になるような波形（例えばハイレベルの立ち上がり部分をより波高値を大きくする波形）のパルス信号を作成し、このパルス信号をクロック信号発生回路２０８から入力する信号により変調してレーザ駆動回路２０６に出力する。クロック信号による変調は、例えばクロック信号を１４４００パルス／周の信号にし、例えばＤＶＤにＢＣＡコードを記録する場合はＢＣＡコード幅（ハイレベル，低反射率箇所）が１０パルス、ＢＣＡコードのバーとバーとの間隔（ローレベル，高反射率箇所）の１Ｔが３１パルスに相当するように変調が行われる。
【００２１】
レーザ駆動回路２０６は、記録用信号生成回路２０４からパルス信号が入力し、さらにコントローラ４００からレーザ光照射の種類に相当する信号とレーザ光強度に相当する信号とが入力する。そして、これらの信号に基づいて光ピックアップ２００内にあるレーザ光源が次の表１のようにレーザ光照射を行うための駆動信号をレーザ光源に対して供給する。
【００２２】
【表１】
0004752835.tif 000002
【００２３】
スピンドルモータ制御回路２１０は、コントローラ４００から回転速度の指令を受け、スピンドルモータ２１４内臓のエンコーダからのパルス信号を入力し、このパルス信号の単位時間あたりのパルス数が、指令された回転速度に相当するパルス数になるようスピンドルモータ２１４の回転速度を制御する。コントローラ４００には、回転速度としてＢＣＡコード記録用回転速度及びＢＣＡデータ再生用回転速度の２つが記憶されている。これらはいずれも線速度として記憶されているため、後述する半径値検出回路３０２が出力する半径値から（線速度）／（半径値×２π）の計算により（回転数／時間）の単位の回転速度に変換しスピンドルモータ制御回路２ｌ０に一定間隔で出力する。
【００２４】
回転角度検出回路２１２は、装置の電源が投入されると駆動開始し、スピンドルモータ２１４内にあるエンコーダから入力するパルス信号のパルス数をカウントし、カウント数又はカウント数から計算される回転角度のデジタルデータを一定間隔でコントローラ４００に出力する。回転角度検出回路２１２には、エンコーダからインデックス信号も入力しており、インデックス信号が入力するとそれまでのカウント数をリセットして０にする。即ち、インデックス信号が入力する位置が回転基準位置（回転角度０の位置）である。
【００２５】
信号増幅回路１００は、光ピックアップ２００のフォトディテクタからの信号を増幅し、フォーカスエラー信号生成回路１０２と再生信号生成回路１０８に出力する。フォーカスエラー信号生成回路１０２、フォーカスサーボ回路１０４、ドライブ回路１０６及び光ピックアップ２００のフォーカスアクチュエータにより、光ピックアップ２００から照射されるレーザ光の焦点が光ディスクＤＫの記録層に合うための制御であるフォーカスサーボが行われる。尚、この実施形態では、光ピックアップ２００において光ディスクＤＫからの反射光を受光する分割されたフォトディテクタの手前には、ナイフと集光レンズが配置されナイフエッジ法によるフォーカスサーボを行うようになっているが、フォーカスサーボの方法はナイフエッジ法に限らず、例えばＳＳＤ法などによるフォーカスサーボを用いてもよい。
【００２６】
再生信号生成回路１０８は、光ピックアップ２００内の分割された受光素子から出力され信号増幅回路１００で増幅された信号をすべて足し合わせた信号（すなわち反射光の強度に相当する信号）を出力する。２値化回路１１０は、再生信号生成回路１０８が出力する信号を設定されたレベルでスライスし、ハイレベルとローレベルとからなるパルス信号にする。このパルス信号はＢＣＡコードのバーの箇所がローレベルとなり、ＢＣＡコードのバーとバーとの間がハイレベルとなるパルス信号である。データ復号回路１１２は、ＢＣＡコードにレーザ光を照射し、ＢＣＡデータを再生するときのみ、コントローラ４００からの指令により作動する。データ復号回路１１２は、作動開始の指令を受けた後、２値化回路１１０からパルス信号が入力すると、入力したパルス信号から例えばＤＶＤの場合はＢＣＡコードのバーとバーとの間隔が１Ｔから４Ｔまでとなるデータを作成する。これは、データ変換回路２０２が出力するデータに相当する。そして、このデータからデータ変換回路２０２が行うデータ変換とは逆の変換を行うことでＢＣＡデータを復号し、復号したＢＣＡデータをコントローラ４００に出力する。
【００２７】
半径値検出回路３０２は、装置の電源が投入されると駆動開始し、フィードモータ３００が内臓するエンコーダからのパルス信号の入力が停止したときを初期半径値として、それ以降入力するパルス信号をカウントして移動距離を算出し、初期半径値に加減することで半径値を算出し、コントローラ４００及び後述するフィードモータ制御回路３０４に出力する。尚、半径値検出回路３０２が検出する半径値の検出点ｒは、図３に示すよう光スポットＳＰの内周側の端付近で低反射率箇所と高反射率箇所の境界ができる位置。言い換えると光ディスクに低反射率箇所が形成される最も低いレーザ光強度の位置である。
【００２８】
フィードモータ制御回路３０４は、以下の働きをする。
・装置の電源が投入されると駆動開始し、フィードモータ３００を駆動限界位置（初期半径値である位置）まで駆動する。
・コントローラ４００から半径値が入力すると、半径値検出回路３０２から入力する半径値から駆動方向を判定してフィードモータ３００を駆動し、半径値検出回路３０２から入力する半径値がコントローラ４００から入力した半径値になるとフィードモータ３００の駆動を停止する。
・コントローラ４００から半径方向送り指令が入力すると、コントローラ４００から一定間隔で入力する送り速度にフィードモータ３００に内臓するエンコーダからのパルス信号をカウントすることにより算出した送り速度が一致するよう、フィードモータ３００の回転を制御する。
【００２９】
コントローラ４００には、光ディスクＤＫが１回転するときにレーザ光照射位置が移動する基本の距離（以下、基本送りピッチＰという）が記憶されており、後述する補正送りピッチＰ’が計算されるまでは、この基本送りピッチＰを前述した（回転数／時間）の単位の回転速度の逆数（１回転の時間）で除算して送り速度を算出し、フィードモータ制御回路３０４に出力する。後述する補正送りピッチＰ’が計算された後は、この補正送りピッチＰ’を用いて同じ計算により送り速度を算出し、フィードモータ制御回路３０４に出力する。
【００３０】
そして、コントローラ４００には、図３にＬと示されている、検出する半径位置から光スポットＳＰの外周側の端付近で低反射率箇所と高反射率箇所との境界ができる位置までの距離Ｌ、言い換えると光スポットＳＰを光ディスク１回転分移動して低反射率箇所を形成したときの低反射率箇所の半径方向幅Ｌが記憶されている。この値Ｌは、後述する補正送りピッチＰ’を計算する際と後述する半径方向移動を停止する半径位置検出の際に用いられる。
【００３１】
このように構成された光ディスク識別情報記録装置１において、ＢＣＡコードの記録は図４に示したように行われる。図４は、放射状に形成されるＢＣＡコードを同じ半径位置が直線になるようにし、レーザ光照射位置が円周方向と半径方向に移動することにより各半径位置におけるレーザ光照射跡が隣の半径位置におけるレーザ光照射跡と重なるようにしてＢＣＡコードのバーが形成される様子を示した図である。尚、図６はわかりやすくするためバーの幅を実際より大きくし、バーの数を実際より少なくして示してある。
【００３２】
このＢＣＡコードの記録において、記録開始半径位置では記録が開始されるＡ点から記録が終了するＢ点まで半径方向移動が行われず、バーの端部は同じ半径位置に形成される。そして、記録が終了するＢ点で半径方向移動が開始するが、ＢＣＡコードの記録の間、半径方向移動が行われないため次の半径位置におけるレーザ光照射跡と記録開始半径位置におけるレーザ光照射跡との重なりがそれ以降よりも大きい。ただし、半径方向移動の開始点がＢ点より後になるほど、次の半径位置におけるレーザ光照射跡と記録開始半径位置におけるレーザ光照射跡との重なりが大きくなり、バーの形状が悪くなる度合いが大きくなる。すなわち、Ｂ点で半径方向移動を開始すれば、バーの形状が悪くなる度合いを極力抑制することができる。
【００３３】
そして、基本送りピッチＰを適切に補正して後述する補正送りピッチＰ’にすることで、記録終了半径位置ではＡ点付近でレーザ光照射跡の半径方向移動側位置がその半径位置に到達し、以後記録が終了するＢ点まで半径方向移動が行われず、バーの半径方向移動側の端部は同じ半径位置に形成される。
【００３４】
記録終了半径位置におけるＡ点付近からＢ点まで半径方向移動が行われないため、最後のレーザ光照射跡のその前の半径位置におけるレーザ光照射跡との重なりはそれ以前よりも大きい。ただし、半径方向移動の停止点がＡ点より後になるほど、最後のレーザ光照射跡のその前の半径位置におけるレーザ光照射跡との重なりが大きくなり、バーの形状が悪くなる度合いが大きくなる。すなわち、Ａ点付近で半径方向移動を停止すれば、バーの形状が悪くなる度合いを極力抑制することができる。
【００３５】
このようなＢＣＡコードの記録は、図２に示すフローのプログラムを実行することにより行われる。作業者は、光ディスク識別情報記録装置１の電源を投入した後、ＢＣＡコードを記録する光ディスクＤＫをターンテーブル２１６にセットし、入力装置４０４からＢＣＡコード記録開始の指令を入力すると、コントローラ４００は図２に示すフローのプログラムをスタートさせ、光ディスクＤＫへのＢＣＡコードの記録と、記録したＢＣＡコードからのＢＣＡデータ再生が行われる。以下、プログラムのフローに沿って説明する。尚、以後の本実施例の説明において、括弧内の符号は図２の符号に対応している。
【００３６】
まず、スピンドルモータ制御回路２１０にＢＣＡコード記録用の回転速度の指令が入力してスピンドルモータ２１４がＢＣＡコード記録用の回転速度で回転を開始し（Ｓ１０２）、データ変換回路２０２にＢＣＡデータが出力され（Ｓ１０４）、データ変換回路２０２でデータ変換（エンコード）が行われ、ＢＣＡコードの基になるデータが記録用信号生成回路２０４とコントローラ４００に出力される。
【００３７】
次に、データ変換回路２０２から入力したＢＣＡコードの基になるデータから記録が終了する回転角度（図４のＢ点における回転角度）θｅを計算する（Ｓ１０６）。記録用信号生成回路２０４からは、例えばＤＶＤであれば値が１から４の間で変化する数値列が入力する。これがバーとバーとの間隔１Ｔ〜４Ｔに相当し、バーとバーとの間隔における１Ｔ及びバーの幅は規格で決まっているため記録開始から最後のバーが終了する箇所までの長さは計算できる。これをＢＣＡコードの記録開始位置の半径における円の長さで除算して３６０°を掛ければ最後のバーが終了する箇所の回転角度θｅは計算できる。尚、回転角度検出回路２１２から入力するデータがカウント値である場合は、３６０°の代わりに１回転においてスピンドルモータ２１４内にあるエンコーダが出力するパルス信号のパルス数を用いればよい。そして、フィードモータ制御回路３０４に半径値が入力して設定されているＢＣＡコードの記録開始半径位置へ移動し（Ｓ１０８）、レーザ駆動回路２０６へ非記録条件でのレーザ光照射の指令が入力してピックアップ２００から光ディスクＤＫに変化が生じない一定強度のレーザ光が出射し（Ｓ１１０）、図示されていないフォーカスアクチュエータを駆動する回路に作動指令が入力して光ピックアップ２００のフォーカスアクチュエータが対物レンズをレーザ光の光軸方向に駆動し、フォーカスエラー信号生成回路１０２が出力する信号に生じるＳ字信号が０クロスするタイミングでフォーカスサーボ回路１０４に作動指令が入力し、フォーカスサーボを開始する（Ｓ１１２）。
【００３８】
インデックス信号が入力してから（図４のＡ点に到達してから）（Ｓ１１４−ＹＥＳ）、レーザ駆動回路２０６に記録条件でのレーザ光照射の指令が入力して、光ピックアップ２００から記録用のレーザ光が照射開始してＢＣＡコードの記録を開始する（Ｓ１１６）。この段階で半径方向移動はされていないため、ＢＣＡコードの端は同じ半径位置に形成される。回転角度検出回路２１２から回転角度の取り込みを開始し（Ｓ１１８）、回転角度が予め計算された回転角度θｅに到達した時点で（図４のＢ点に到達した時点で）（Ｓ１２０−ＹＥＳ）、フィードモータ制御回路３０４に半径方向送り指令が入力して半径方向移動を開始する（Ｓ１２２）。そして、回転角度取り込みを終了し（Ｓ１２４）、インデックス信号が入力した時点で（図４のＡ点に到達した時点で）（Ｓ１２８−ＹＥＳ）、半径値回路３０２から半径値を取り込む（Ｓ１３０）。
【００３９】
そして、補正送りピッチＰ’を計算する（Ｓ１３２）。計算は以下のように行われる。まず、半径値を取り込んだ時点の半径値をｒ、設定されているＢＣＡコード記録終了半径値をｒｅ、前述のように光スポットＳＰを光ディスク１回転分移動して低反射率箇所を形成したときの低反射率箇所の半径方向幅（即ちレーザ光照射跡の半径方向幅）をＬ、基本送りピッチをＰとする。すると、基本送りピッチＰで半径方向移動を行い、ＢＣＡコードが最も記録終了半径位置に近づいたとき、記録開始の周方向位置（図４のＡ点）での記録終了半径位置とバーの半径方向移動側位置との差は、下記の数１を整数ｋで算出したときの余りｄである。
【００４０】
【数１】
0004752835.tif 000003
【００４１】
（Ｌ−Ｐ）は、レーザ光照射跡の重なりであり、最後のレーザ光照射跡は半径方向移動側は重なりがないため引かれている。すなわち、数１における余りｄはＰの幅ずつバーが形成され、最後にＰ＋（Ｌ−Ｐ）の幅でバーが形成されるとして、ｋ回バーを形成したときの長さＰ・Ｋ＋（Ｌ−Ｐ）の｜ｒｅ−ｒ｜からの差であるｄであると見なせばよい。この余りｄが基本送りピッチＰの１／２未満である場合は、余りｄの移動分を基本送りピッチＰを微小量増加させることで、１／２以上である場合は（Ｐ−ｄ）分の余計な移動分を基本送りピッチＰを微小量減少させることで、余りｄが生じないようにする。即ち記録開始の周方向位置で（図４のＡ点で）記録終了半径位置に到達するようにする。具体的には、余りｄが基本送りピッチＰの１／２未満である場合は以下の数２の計算を行い、余りｄが基本送りピッチＰの１／２以上である場合は数３の計算を行う。
【００４２】
【数２】
0004752835.tif 000004
【００４３】
【数３】
0004752835.tif 000005
【００４４】
（Ｌ−Ｐ）と（Ｌ−Ｐ’）は値が異なるが差は微小量であるので、補正送りピッチＰ’による径方向移動を行えば余りｄは生じないようにすることができる。このとき、送りピッチの分解能がわかっていれば、数２においてはその分解能の桁でｄ／ｋを切り上げ、数３においてはその分解能の桁で｛（Ｐ−ｄ）／ｋ｝を切り下げる。これにより、記録開始の周方向位置（図４のＡ点）のやや手前で記録終了半径位置に到達し、記録開始の周方向位置におけるバーの半径方向移動側端の半径位置がやや小さくなることがないようにすることができる。補正送りピッチＰ’を計算すれば、これ以降の半径方向移動は補正送りピッチＰ’を用いて計算された移動速度で行われる。
【００４５】
そして、半径値＋Ｌが記録終了半径位置に到達した時点（記録開始の周方向位置付近，図４のＡ点付近で到達する）で（Ｓ１３４−ＹＥＳ）、フィードモータ制御回路３０４に半径方向送り停止指令が入力して半径方向移動が停止し（Ｓ１３６）、回転角度検出回路２１２から回転角度の取り込みを開始し（Ｓ１３８）、回転角度がθｅ（図４のＢ点における回転角度）になった時点で（Ｓ１４０−ＹＥＳ）、フォーカスサーボ回路１０４に作動停止命令が入力してフォーカスサーボが停止し（Ｓ１４２）、レーザ駆動回路２０６にレーザ光照射の停止指令が入力して、光ピックアップ２００からのレーザ光照射が停止する（Ｓ１４４）。
【００４６】
次に、フィードモータ制御回路３０４に半径値が入力してＢＣＡコードを記録した半径領域の中心位置へ移動し（Ｓ１４６）、スピンドルモータ制御回路２１０にＢＣＡデータ再生用の回転速度の指令が入力して回転速度をＢＣＡデータ再生用の回転速度に変更し（Ｓ１４８）、レーザ駆動回路２０６に非記録条件でのレーザ光照射の指令が入力して、光ピックアップ２００から光ディスクＤＫに変化が生じない一定強度のレーザ光が出射し、（Ｓ１５０）、上述（Ｓ１１２）と同様にフォーカスサーボを開始し（Ｓ１５２）、データ復号回路１１２の作動を開始する（Ｓ１５４）。これにより、データ復号回路１１２は、復号したＢＣＡデータを出力するようになるので、このデータを入力し（Ｓ１５６）、元のＢＣＡデータ（データ変換回路２０２に出力したＢＣＡデータ）と復号したＢＣＡデータとを比較し、正しくＢＣＡコードが記録されたか否かの判定結果を表示装置４０２に表示する（Ｓ１５８）。
【００４７】
そして、フォーカスサーボ回路１０４、レーザ駆動回路２０６、スピンドルモータ制御回路２１０に作動停止指令が入力してフォーカスサーボ、レーザ光照射、回転の停止が行われ（Ｓ１６０）、データ復号回路１１２の作動停止を行い（Ｓ１６２）、プログラムを終了する（Ｓ１６４）。以後、作業者はターンテーブル２１６から光ディスクＤＫを取り除き、新しい光ディスクＤＫをターンテーブル２１６にセットして再び入力装置４０４からＢＣＡコード記録開始の指令を入力する。これを繰り返すことで次々に光ディスクＤＫにＢＣＡコードの記録が行われる。
【００４８】
以上のように、本実施の形態における光ディスク識別情報記録装置１によれば、識別情報記録開始直後と記録終了直前において半径方向移動を行わないようにするようにしたことから、ＢＣＡコードの内周側端と外周側端における周方向の半径位置を同一にすることができ、ＢＣＡコードの内周側端と外周側端における半径位置を許容範囲内にすることが可能である。
【００４９】
また、識別情報記録開始直後、ＢＣＡコードの周方向での終了位置を検出してから半径方向移動を行うようにすることで、ＢＣＡコード記録開始時点のレーザ光照射跡と次の半径位置のレーザ光照射跡との重なりをできる限り小さくすることができ、光ディスクＤＫによっては発生するレーザ光の照射跡が大きく重なることによるＢＣＡコードの形状の悪化を防ぐことができる。
【００５０】
さらに、記録開始の周方向位置付近で記録終了の半径位置となるための送りピッチを計算し、その送りピッチに従って径方向の移動を行うようにすることで、ＢＣＡコード記録終了直前のレーザ光照射跡とその前の半径位置のレーザ光照射跡との重なりをできる限り小さくすることができ、光ディスクＤＫによっては発生するレーザ光の照射跡が大きく重なることによるＢＣＡコードの形状の悪化を防ぐことができる。
【００５１】
尚、上記実施形態は様々な変形が可能である。上記実施形態では、ＢＣＡ記録開始の周方向位置で、即ちスピンドルモータ２１４内にあるエンコーダからインデックス信号が入力した時点で、半径値検出回路３０２から半径値を取り込み、その半径値を用いて補正送りピッチＰ’を計算したが、ＢＣＡ記録終了の回転角度（図４のＢ点の回転角度）が計算されれば、この回転角度の位置からＢＣＡ記録開始の周方向位置までの回転角度が計算され、ＢＣＡ記録開始の半径位置と基本送りピッチＰから、ＢＣＡ記録開始の周方向位置になったときの半径値を計算することができるので、半径値検出回路３０２から半径値を取り込む代わりに、この計算された半径値を用いるようにしてもよい。これによっても上記実施形態と同様の効果を得ることができる。
【００５２】
また、上記実施形態では、ＢＣＡコード記録開始時点における半径方向移動開始のタイミングとＢＣＡコード終了時点での周方向移動停止のタイミングを、レーザ光照射跡の重なりが極力小さくなるタイミングになるよう設定したが、レーザ光照射跡が完全に重なってもバーの形状の悪化がそれほど発生しなければ、ＢＣＡコード記録開始のタイミングと同じタイミングで、即ち、スピンドルモータ２１４内にあるエンコーダからインデックス信号が入力した時点で半径方向移動を開始し、周方向によらずＢＣＡコード記録終了半径位置を検出した時点で半径方向移動を停止し、インデックス信号が２回入力した後（即ち光ディスクＤＫが少なくとも１回転した後）、レーザ光照射を停止するようにすればよい。これによれば、回転角度検出回路２１２が不要になるため装置のコストを抑制することができる。
【００５３】
さらに、上記実施形態では、ＢＣＡコード記録開始の周方向位置を検出するのにスピンドルモータ２１４内にあるエンコーダが出力するインデックス信号を使用したが、これ以外の信号で記録開始の周方向位置を検出するようにしてもよい。例えば、スピンドルモータ２１４内にあるエンコーダが出力するパルス信号から回転角度を検出し、回転角度が３６０度になるごとに０度になるようにしておき、設定した回転角度になると信号を出力するようにしてＢＣＡコード記録開始の周方向位置を検出するようにしてもよい。
【００５４】
さらに、上記実施形態では、半径値の検出点を光スポットＳＰの内周側の端付近で高反射率箇所と低反射率箇所の境界ができる位置にしたが、反対側である光スポットＳＰの外周側の端付近で高反射率箇所と低反射率箇所の境界ができる位置にしてもよく、光スポットＳＰの内周側の端と外周側の端付近の高反射率箇所と低反射率箇所の境界ができる位置を正しく検出できれば、どのような位置を半径値の検出点にしてもよい。
【００５５】
さらに、上記実施形態では、ターンテーブル２１６とスピンドルモータ２１４に接続したフィードモータ３００を駆動することでレーザ光照射位置をターンテーブル２１６の半径方向に移動するようにしたが、光ピックアップ２００を移動する構成にしてもよく、また上記実施形態では、同一のレーザ光によりＢＣＡコードの記録、ＢＣＡデータの再生及びフォーカスサーボを行ったが、コスト面を重視しなければレ―ザ光源を２つ以上にし、ＢＣＡコードの記録、ＢＣＡデータの再生及びフォーカスサーボの少なくとも１つは別のレーザ光を用いるようにしてもよく、本発明の目的を逸脱しなければ様々な変更が可能である。
【産業上の利用可能性】
【００５６】
以上のように、本発明によれば、ＢＣＡコードのような識別情報を光ディスクに記録する光ディスク識別情報記録装置及び光ディスク識別情報記録方法において、容易に識別情報（ＢＣＡコード）の内周側端と外周側端における周方向の半径位置を同一にし、識別情報（ＢＣＡコード）の内周側端と外周側端における半径位置を許容範囲内にすることが可能な光ディスク識別情報記録装置及び光ディスク識別情報記録方法を提供することができる。
【図面の簡単な説明】
【００５７】
【図１】本発明が適用された光ディスク識別情報記録装置の全体構成を示す構成図である。
【図２】同光ディスク識別情報記録装置のコントローラが実行するプログラムのフローチャートである。
【図３】検出する半径値の検出点を光スポットと光ディスクに形成される低反射率箇所と高反射率箇所と共に示した説明図である。
【図４】ＢＣＡコードを同じ半径位置が直線になるようにし、レーザ光照射跡が隣の半径位置におけるレーザ光照射跡と重なるようにしてＢＣＡコードのバーが形成される様子を示した説明図である。
【図５】光ディスクに低反射率箇所と高反射率箇所とからなるＢＣＡコードをレーザスポットの移動により記録していく様子を示した図である。
【図６】従来の光ディスク識別情報記録装置においてＢＣＡコードの内周側端と外周側端の半径位置が周方向で一致していないことを示した説明図である。
【符号の説明】
【００５８】
１・・・・・光ディスク識別情報記録装置
１００・・・信号増幅回路
１０２・・・フォーカスエラー信号生成回路
１０４・・・フォーカスサーボ回路
１０６・・・ドライブ回路
１０８・・・再生信号生成回路
１１０・・・２値化回路
１１２・・・データ復号回路
２００・・・光ピックアップ
２０２・・・データ変換回路
２０４・・・記録用信号生成回路
２０６・・・レーザ駆動回路
２０８・・・クロック信号発生回路
２１０・・・スピンドルモータ制御回路
２１２・・・回転角度検出回路
２１４・・・スピンドルモータ
２１６・・・ターンテーブル
３００・・・フィードモータ
３０２・・・半径値検出回路
３０４・・・フィードモータ制御回路
４００・・・コントローラ
４０２・・・表示装置
４０４・・・入力装置
【図１】
0004752835.tif 000006
【図２】
0004752835.tif 000007
【図３】
0004752835.tif 000008
【図４】
0004752835.tif 000009
【図５】
0004752835.tif 000010
【図６】
0004752835.tif 000011